(57)【要約】    【課題】通話相手先の機器の種類毎で異なる最適なパラメータで居室親機が有するデジタル式のボイススイッチを制御して送受話の音量レベルの比較を行う。    【解決手段】玄関子機２ａ、２ｂ、・・・の種類、或いは集合玄関機及び当該玄関子機の種類や居室親機３ａ、３ｂ、・・・の設置環境に応じて変化する音響特性を改善するためにパラメータ記憶部３０５に記憶された複数のパラメータから適用される通話相手先の機器の種類毎で異なる最適なパラメータをもとに、居室親機のデジタルボイススイッチ３０６を制御して、ハンズフリーを成立させるにあたり送受話の音量レベルの比較を行う。一方、ハンドセット３０２ｃの使用によるハンドセット通話を成立させるにあたっては、デジタルボイススイッチをスルーモードに制御して送受話の音量レベルの比較動作を停止させる。  【選択図】図２
2008035049.tif 000002
【特許請求の範囲】
【請求項１】
住戸玄関に設置された玄関子機（２ａ、２ｂ、・・・）と、住戸内に設置され前記玄関子機との間で通話を成立させるための居室親機（３ａ、３ｂ、・・・）とを備え、
前記居室親機は、前記玄関子機の種類や当該居室親機の設置環境に応じて変化する音響特性を改善するためのボイススイッチ切り替えの音量レベル閾値、トータルゲイン、アイドル時ゲイン、送受話音量の補正値等の複数のパラメータが記憶されるパラメータ記憶部（３０５）と、前記玄関子機の種類や当該居室親機の設置環境に応じて前記パラメータ記憶部に記憶されたパラメータを適用し、送受話の音量レベルの比較を行って前記玄関子機との間でハンズフリー通話を成立させるデジタルボイススイッチ（３０６）とをそれぞれ制御するためのＣＰＵ（３０８）を有することを特徴とするインターホンシステム。
【請求項２】
集合住宅の集合玄関に設置された集合玄関機（１）と、住戸玄関に設置された玄関子機（２ａ、２ｂ、・・・）と、住戸内に設置され前記集合玄関機又は前記玄関子機との間で通話を成立させるための居室親機（３ａ、３ｂ、・・・）と、前記集合玄関機及び前記居室親機をそれぞれ制御するための制御機（６）とを備え、
前記居室親機は、前記集合玄関機及び前記玄関子機の種類や当該居室親機の設置環境に応じて変化する音響特性を改善するためのボイススイッチ切り替えの音量レベル閾値、トータルゲイン、アイドル時ゲイン、送受話音量の補正値等の複数のパラメータが記憶されるパラメータ記憶部（３０５）と、前記集合玄関機及び前記玄関子機の種類や当該居室親機の設置環境に応じて前記パラメータ記憶部に記憶されたパラメータを適用し、送受話の音量レベルの比較を行って前記集合玄関機又は前記玄関子機との間でハンズフリー通話を成立させるデジタルボイススイッチ（３０６）とをそれぞれ制御するためのＣＰＵ（３０８）を有することを特徴とするインターホンシステム。
【請求項３】
前記居室親機は、外部入力装置（７）を接続するためのコネクタ（３０７）を有し、
前記居室親機のＣＰＵは、前記コネクタに接続された前記外部入力装置からの出力データを受信して前記パラメータ記憶部に記憶されたパラメータを変更することを特徴とする請求項１又は請求項２記載のインターホンシステム。
【請求項４】
前記制御機は、管理室内に設置された管理室親機（４）及び管理用パーソナルコンピュータ（５）のうち少なくとも１つが接続され、
前記管理室親機及び／又は前記管理用パーソナルコンピュータは、前記パラメータを、前記集合玄関機及び前記玄関子機の種類に応じて前記居室親機のＣＰＵの制御により前記パラメータ記憶部に記憶させるためのパラメータ変更手段（４００、５００）を有することを特徴とする請求項２又は請求項３記載のインターホンシステム。
【請求項５】
前記居室親機は、ハンドセット通話を成立させるためのハンドセット（３０２ｃ）と、前記ハンドセットの取り上げに有無に応じてフックオフ／フックオン切り替わるフックスイッチ（３０２ｄ）とを有し、
前記居室親機のＣＰＵは、前記フックスイッチのフックオフを検出し、前記デジタルボイススイッチをスルーモードに制御して、前記送受話の音量レベルの比較動作を停止させることを特徴とする請求項１乃至請求項４のうち何れか１項記載のインターホンシステム。
【発明の詳細な説明】
【技術分野】
【０００１】
本発明は、戸建住宅又はマンション等の集合住宅に設置されるインターホンシステムに係り、特に、通話路が形成された２つの端末の間で通話を成立させるにあたって良好な通話品質を確保することができるインターホンシステムに関する。
【背景技術】
【０００２】
従来から、室内（住戸内と同意。）の音が室外（住戸外と同意。）にて放音されている送話状態であることを、送話者をなす居住者に視覚的手段を用いて通知することができるハンズフリーインターホン装置（例えば、特許文献１を参照。）や、ハンズフリードアホンとして拡声状態で通話する機能と送受話器（ハンドセットと同意。）で通話する機能とを兼備したインターホン装置（例えば、特許文献２を参照。）が開示されている。
【０００３】
特許文献１に記載のハンズフリーインターホン装置及び特許文献２に記載のインターホン装置において、室内親機（インターホン室内親機）のマイク及びスピーカをそれぞれ使用して拡声通話（ハンズフリー通話と同意。）を行うにあたっては、ハイブリッド回路及び比較回路を有するアナログ方式のボイススイッチが適用されており、音声信号の音量レベルの差異に応じて送受話の切り替えを（自動で）行っていた。
【０００４】
【特許文献１】特開２００２−６４６４４号公報（段落番号「００２１」、「００３０」、「００３１」、第２図）
【特許文献２】特開２００２−２９０５７５号公報（段落番号「００１９」、「００２９」、第１図）
【発明の開示】
【発明が解決しようとする課題】
【０００５】
背景技術に記載した特許文献１及び特許文献２の各文献に示すように、室内親機（インターホン室内親機）のマイク及びスピーカをそれぞれ使用して拡声通話（ハンズフリー通話）を成立させるにあたっては、アナログ方式のボイススイッチが適用されているため、この室内親機に接続されるドアホン子機（玄関子機）を変更する等で当該子機の種類が変更された場合、その種類に応じてボイススイッチのパラメータが異なる基板を用意せねばならず、基板の交換や設定等で煩雑さを有していた。
【０００６】
本発明は、この難点を解消するためになされたもので、通話相手先の機器の種類毎で異なる最適なパラメータで居室親機が有するデジタル式のボイススイッチを制御して送受話の音量レベルの比較を行うことにより、パラメータ毎で異なる基板の交換や設定等を不要として、ハンズフリー通話を成立させるにあたって良好な通話品質の確保が可能なインターホンシステムを提供することを目的としている。
【課題を解決するための手段】
【０００７】
前述の目的を達成するため、本発明の第１の態様であるインターホンシステムは、住戸玄関に設置された玄関子機と、住戸内に設置され玄関子機との間で通話を成立させるための居室親機とを備えたものである。居室親機は、玄関子機の種類や当該居室親機の設置環境に応じて変化する音響特性を改善するためのボイススイッチ切り替えの音量レベル閾値、トータルゲイン、アイドル時ゲイン、送受話音量の補正値等の複数のパラメータが記憶されるパラメータ記憶部と、玄関子機の種類や当該居室親機の設置環境に応じてパラメータ記憶部に記憶されたパラメータを適用し、送受話の音量レベルの比較を行って玄関子機との間でハンズフリー通話を成立させるデジタルボイススイッチとをそれぞれ制御するためのＣＰＵを有するものである。
【０００８】
また、本発明の第２の態様であるインターホンシステムは、集合住宅の集合玄関に設置された集合玄関機と、住戸玄関に設置された玄関子機と、住戸内に設置され集合玄関機又は玄関子機との間で通話を成立させるための居室親機と、集合玄関機及び居室親機をそれぞれ制御するための制御機とを備えたものである。居室親機は、集合玄関機及び玄関子機の種類や当該居室親機の設置環境に応じて変化する音響特性を改善するためのボイススイッチ切り替えの音量レベル閾値、トータルゲイン、アイドル時ゲイン、送受話音量の補正値等の複数のパラメータが記憶されるパラメータ記憶部と、集合玄関機及び玄関子機の種類や当該居室親機の設置環境に応じてパラメータ記憶部に記憶されたパラメータを適用し、送受話の音量レベルの比較を行って集合玄関機又は玄関子機との間でハンズフリー通話を成立させるデジタルボイススイッチとをそれぞれ制御するためのＣＰＵを有するものである。
【０００９】
また、本発明の第３の態様であるインターホンシステムは、本発明の第１の態様又は第２の態様において、居室親機は、外部入力装置を接続するためのコネクタを有するものである。居室親機のＣＰＵは、コネクタに接続された外部入力装置からの出力データを受信してパラメータ記憶部に記憶されたパラメータを変更するものである。
【００１０】
また、本発明の第４の態様であるインターホンシステムは、本発明の第２の態様又は第３の態様において、制御機は、管理室内に設置された管理室親機及び管理用パーソナルコンピュータのうち少なくとも１つが接続されるものである。管理室親機及び／又は管理用パーソナルコンピュータは、パラメータを、集合玄関機及び玄関子機の種類に応じて居室親機のＣＰＵの制御によりパラメータ記憶部に記憶させるためのパラメータ変更手段を有するものである。
【００１１】
また、本発明の第５の態様であるインターホンシステムは、本発明の第１の態様乃至第４の態様において、居室親機は、ハンドセット通話を成立させるためのハンドセットと、ハンドセットの取り上げに有無に応じてフックオフ／フックオン切り替わるフックスイッチとを有するものである。居室親機のＣＰＵは、フックスイッチのフックオフを検出し、デジタルボイススイッチをスルーモードに制御して、送受話の音量レベルの比較動作を停止させるものである。
【発明の効果】
【００１２】
本発明のインターホンシステムによれば、玄関子機の種類、或いは集合玄関機及び当該玄関子機の種類や居室親機の設置環境に応じて変化する音響特性を改善するためにパラメータ記憶部に記憶された複数のパラメータから適用される通話相手先の機器の種類毎で異なる最適なパラメータをもとに、居室親機のデジタルボイススイッチを制御して、送受話の音量レベルの比較を行うことができ、パラメータ毎で異なる基板の交換や設定等が不要となり、ハンズフリー通話を成立させるにあたって良好な通話品質の確保が可能となる。一方、ハンドセットの使用によるハンドセット通話を成立させるにあたっては、デジタルボイススイッチがスルーモードに制御されて送受話の音量レベルの比較動作を停止することができる。
【００１３】
また、本発明のインターホンシステムによれば、管理室親機のパラメータ変更手段及び／又は管理用パーソナルコンピュータのパラメータ変更手段の作用により、集合玄関機及び玄関子機の種類に応じたパラメータを居室親機のパラメータ記憶部に記憶させることができ、このパラメータは、当該居室親機のコネクタに接続した外部入力装置からの出力データをもとに容易に変更することができる。
【発明を実施するための最良の形態】
【００１４】
以下、本発明のインターホンシステムを適用した最良の実施の形態例について、図面を参照して説明する。図１は、本発明の実施例によるインターホンシステムの全体構成を示すシステム説明図である。
【００１５】
図１に示すインターホンシステムは、マンション等の集合住宅に設置される集合住宅インターホンシステムであり、集合玄関に設置された集合玄関機１と、１０１号室、１０２号室、・・・のような複数の住戸毎の住戸玄関にそれぞれ設置された玄関子機２ａ、２ｂ、・・・及び当該玄関子機に各住戸ラインＬ5a、Ｌ5b、・・・を経由して接続される住戸内にそれぞれ設置された居室親機３ａ、３ｂ、・・・と、管理室内に設置された管理室親機４と、集合住宅を管理する例えば、警備会社等に設置された管理用パーソナルコンピュータ（以下、管理用ＰＣという。）５と、玄関機側ラインＬ1を経由して接続された集合玄関機１、居室親機側ラインＬ2を経由して接続された居室親機３ａ、３ｂ、・・・、管理室親機側ラインＬ3を経由して接続された管理室親機４、及びＰＣ側ラインＬ4を経由して接続された管理用ＰＣ５をそれぞれ制御するための制御機６とが備えられている。なお、居室親機３ａ、３ｂ、・・・には、パーソナルコンピュータ等の後述する外部入力装置７をそれぞれ接続することができる。また、居室親機３ａ、３ｂ、・・・及び制御機６の間の接続の態様は、居室親機側ラインＬ2を経由したバス接続に限定されるものではなく、渡り配線による接続を適用することもできる。
【００１６】
集合玄関機１は、集合玄関に居る人物、例えば、来訪者が、複数の住戸のうち特定の住戸内に在室中の居住者又は管理室内に在室中の管理人を呼び出してハンズフリー通話を成立させるためのものであり、操作部１００、表示部１０１、カメラ部１０２及び通話部１０３を有している。ここで、操作部１００は、来訪者が所定の呼出操作を行うものであり、例えば、表示部１０１の前面に配置されたタッチパネル上の操作ボタン等で構成されている。また、表示部１０１は、操作部１００にて行われる呼出操作の操作情報等を表示するためのものであり、例えば、ＬＣＤ、有機ＥＬディスプレイ等の各種の表示媒体で構成されている。また、カメラ部１０２は、呼出操作を行った来訪者の映像や集合玄関の周囲近傍の映像（監視映像を含む。）を撮像するためのものであり、例えば、ＣＣＤ、ＣＭＯＳ等の各種の撮像素子で構成されている。さらに、通話部１０３は、来訪者が居住者又は管理人との間でハンズフリー通話を成立させるための音声（送話音声、受話音声）を入出力するものであり、例えば、マイク及びスピーカで構成されている。
【００１７】
玄関子機２ａ、２ｂ、・・・はそれぞれ同様な構成であり、複数の住戸毎の住戸玄関に居る人物、例えば、来訪者が、住戸内に在室中の居住者を呼び出してハンズフリー通話させるためのものであり、操作部２００、カメラ部２０１及び通話部２０２を有している。ここで、操作部２００は、来訪者が所定の呼出操作を行うものであり、例えば、呼出ボタンで構成されている。また、カメラ部２０１は、呼出操作を行った来訪者の映像や住戸玄関の周囲近傍の映像（監視映像を含む。）を撮像するためのものであり、例えば、ＣＣＤ、ＣＭＯＳ等の各種の撮像素子で構成されている。さらに、通話部２０２は、来訪者が居住者との間でハンズフリー通話を成立させるための音声（送話音声、受話音声）を入出力するものであり、例えば、マイク及びスピーカで構成されている。
【００１８】
居室親機３ａ、３ｂ、・・・はそれぞれ同様な構成で個別の居室番号が割り当てられており、集合玄関に居る来訪者、自住戸の住戸玄関に居る来訪者及び管理室内に在室中の管理人のうち何れかの人物からの呼び出し（一斉呼び出しを含む。）が報知され、この呼び出しに応答した居住者がハンズフリー通話又はハンドセット通話を成立させるためのものであり、表示部３００、操作部３０１及び通話部３０２を有している。ここで、表示部３００は、集合玄関機１のカメラ部１０２又は玄関子機２ａ、２ｂ、・・・のカメラ部２０１にて撮像された映像を出画するとともに、集合玄関に居る来訪者、自住戸の住戸玄関に居る来訪者及び管理室内に在室中の管理人のうち何れかの人物からの呼び出し（一斉放送を含む。）がある旨の呼出情報を表示し、さらには、操作部３０１の操作情報等を表示するためのものであり、例えば、ＬＣＤ、有機ＥＬディスプレイ等の各種の表示媒体で構成されている。また、操作部３０１は、前述の来訪者及び管理人のうち何れかの人物からの呼び出しに対して居住者が応答するために所定の応答操作が行われるものであり、例えば、表示部３００の前面に配置されたタッチパネル上の操作ボタン等で構成されている。さらに、通話部３０２は、居住者が来訪者又は管理人との間で、ハンズフリー通話又はハンドセット通話を成立させるための音声（送話音声、受話音声）を入出力するものであり、例えば、マイク３０２ａ、スピーカ３０２ｂ、ハンドセット３０２ｃ及びフックスイッチ３０２ｄで構成されている。なお、操作部３０１は、前述の操作機能の他に、居住者が管理人を呼び出すために所定の呼出操作を行うことができる。また、通話部３０２を構成するスピーカ３０２ｂは、前述の通話機能の他に、前述の来訪者及び管理人のうち何れかの人物からの呼び出しがある旨の呼出音や音声メッセージ等を放音することができる。
【００１９】
管理室親機４は、集合玄関に居る来訪者からの呼び出しが報知され、この呼び出しに応答した管理室内に在室中の管理人がハンズフリー通話又はハンドセット通話を成立させるとともに、管理人が、複数の住戸のうち特定の住戸内に在室中の居住者を呼び出して通話を成立させる、又は複数の居住者に対して一斉呼び出しを行うものであり、表示部４００、操作部４０１及び通話部４０２を有している。ここで、表示部４００は、集合玄関機１のカメラ部１０２にて撮像された映像を出画するとともに、集合玄関に居る来訪者又は特定の住戸内に在室中の居住者からの呼び出しがある旨の呼出情報を表示し、さらには、操作部４０１の操作情報等を表示するためのものであり、例えば、ＬＣＤ、有機ＥＬディスプレイ等の各種の表示媒体で構成されている。また、操作部４０１は、前述の来訪者及び居住者のうち何れかの人物からの呼び出しに対して管理人が応答するために所定の応答操作が行われるものであり、例えば、表示部４００の前面に配置されたタッチパネル上の操作ボタン等で構成されている。さらに、通話部４０２は、管理人が来訪者又は居住者との間で、ハンズフリー通話又はハンドセット通話を成立させるための音声（送話音声、受話音声）を入出力するものであり、例えば、マイク、スピーカ、ハンドセット及びフックスイッチで構成されている。なお、操作部４０１は、前述の操作機能の他に、管理人が居住者を呼び出す（一斉呼び出しを含む、）ために所定の呼出操作を行うことができる。また、通話部４０２を構成するスピーカは、前述の通話機能の他に、前述の来訪者又は居住者からの呼び出しがある旨の呼出音や音声メッセージ等を放音することができる。
【００２０】
次に、居室親機３ａ、３ｂ、・・・の具体的な構成について、図２のブロック図を参照して説明する。図２に示す居室親機３ａ、３ｂ、・・・はそれぞれ同様な構成であり、前述の表示部３００と、操作部３０１と、通話部３０２を構成するマイク３０２ａ、スピーカ３０２ｂ、ハンドセット３０２ｃ及びフックスイッチ３０２ｄと、映像処理部３０３と、音声処理部３０４と、パラメータ記憶部３０５と、デジタルボイススイッチ３０６と、コネクタ３０７と、ＣＰＵ３０８と、２つのインターフェース（以下、それぞれ制御機側Ｉ／Ｆ、住戸玄関側Ｉ／Ｆという。）３０９ａ、３０９ｂを備えた送受信部３０９とを有している。
【００２１】
この居室親機３ａ、３ｂ、・・・において、映像処理部３０３は、表示部３００に出画させる映像であり集合玄関機１又は（自住戸の）玄関子機２ａ、２ｂ、・・・から伝送されてくる映像信号を信号処理するためのものである。
【００２２】
音声処理部３０４は、通話部３０２を構成するマイク３０２ａ又はハンドセット３０２ｃのマイクに入力された居住者の音声（送話音声）であり電気信号に信号処理されたアナログ音声信号をアナログ／デジタル変換してデジタルボイススイッチ３０６に送出するとともに、通話部３０２を構成するスピーカ３０２ｂ又はハンドセット３０２ｃのレシーバから放音させる来訪者又は管理人の音声（受話音声）であるデジタル音声信号をデジタル／アナログ変換するためのものである。
【００２３】
パラメータ記憶部３０５は、集合玄関機１及び玄関子機２ａ、２ｂ、・・・の種類や居室親機３ａ、３ｂ、・・・の設置環境に応じて変化する音響特性を改善するためのボイススイッチ切り替えの音量レベル閾値、トータルゲイン、アイドル時ゲイン、送受話音量の補正値等の複数のパラメータが記憶されるものであり、例えば、ＥＥＰＲＯＭ、ＲＡＭ等の各種の記憶媒体で構成されている。
【００２４】
デジタルボイススイッチ３０６は、集合玄関機１及び玄関子機２ａ、２ｂ、・・・の種類や居室親機３ａ、３ｂ、・・・の設置環境に応じてパラメータ記憶部３０５に記憶されたパラメータを適用し、送受話の音量レベルの比較を行って集合玄関機１又は玄関子機２ａ、２ｂ、・・・との間でハンズフリー通話を成立させるためのものである。
【００２５】
コネクタ３０７は、パラメータ記憶部３０５に記憶されたパラメータを変更するための外部入力装置７が接続され、当該外部入力装置からＣＰＵ３０８への信号伝送ラインを形成するものである。
【００２６】
ＣＰＵ３０８は、当該居室親機の構成／各部をそれぞれ制御するためのものであり、例えば、表示部３００、映像処理部３０３及び音声処理部３０４へのそれぞれの駆動制御、操作部３０１にて行われる各種操作の検出、通話部３０２を構成するフックスイッチ３０２ｄのスイッチング動作の検出、パラメータ記憶部３０５から読み出されたパラメータによるデジタルボイススイッチ３０６への制御、パラメータ記憶部３０５に記憶されるパラメータを変更する制御等が行われる。
【００２７】
送受信部３０９を構成する制御機側Ｉ／Ｆ３０９ａ及び住戸玄関側Ｉ／Ｆ３０９ａのうち、制御機側Ｉ／Ｆ３０９ａは、居室親機側ラインＬ2から映像処理部３０３への信号伝送路、居室親機側ラインＬ2及びデジタルボイススイッチ３０６の間の信号伝送路（通話路）、居室親機側ラインＬ2及びＣＰＵ３０８の間の信号伝送路をそれぞれ形成するためのものである。一方、住戸玄関側Ｉ／Ｆ３０９ｂは、住戸ラインＬ5a、Ｌ5b、・・・から映像処理部３０３への信号伝送路、住戸ラインＬ5a、Ｌ5b、・・・及びデジタルボイススイッチ３０６の間の信号伝送路（通話路）、住戸ラインＬ5a、Ｌ5b、・・・及びＣＰＵ３０８の間の信号伝送路をそれぞれ形成するためのものである。
【００２８】
また、管理室親機４及び管理用ＰＣ５は、図１に示すように、前述のパラメータを、集合玄関機１及び玄関子機２ａ、２ｂ、・・・の種類に応じて居室親機３ａ、３ｂ、・・・のＣＰＵ３０８の制御によりパラメータ記憶部３０５に記憶させるためのパラメータ変更手段４０３、５００をそれぞれ有している。
【００２９】
このように構成された本発明の実施例によるインターホンシステムにおいて、以下、具体的な動作について、図１及び図２をそれぞれ参照して説明する。
【００３０】
図１において、管理室内に設置された管理室親機４のパラメータ変更手段４０３及び／又は例えば、警備会社等に設置された管理用ＰＣ５のパラメータ変更手段５００は、集合玄関機１及び玄関子機２ａ、２ｂ、・・・の種類や居室親機３ａ、３ｂ、・・・の設置環境に応じて変化する音響特性を改善するためのボイススイッチ切り替えの音量レベル閾値、トータルゲイン、アイドル時ゲイン、送受話音量の補正値等の複数のパラメータを生成することができる。ここで、管理室親機４のパラメータ変更手段４０３にて生成されたパラメータは、管理室親機側ラインＬ3、制御機６、居室親機側ラインＬ2、図２に示す全ての居室親機３ａ、３ｂ、・・・の送受信部３０９を構成する制御機側Ｉ／Ｆ３０９ａを順次経由してＣＰＵ３０８に伝送され、このＣＰＵ３０８の制御によりパラメータ記憶部３０５に記憶させることができる。一方、管理用ＰＣ５のパラメータ変更手段５００にて生成されたパラメータは、ＰＣ側ラインＬ4、制御機６、居室親機側ラインＬ2、全ての居室親機３ａ、３ｂ、・・・の送受信部３０９を構成する制御機側Ｉ／Ｆ３０９ａを順次経由してＣＰＵ３０８に伝送され、このＣＰＵ３０８の制御によりパラメータ記憶部３０５に記憶させることができる。また、居室親機３ａ、３ｂ、・・・のパラメータ記憶部３０５に記憶させたパラメータは、管理室親機４のパラメータ変更手段４０３及び／又は管理用ＰＣ５のパラメータ変更手段５００からの出力データをもとに容易に書き換え、追加等を行うことができる。
【００３１】
なお、前述までの説明によれば、居室親機３ａ、３ｂ、・・・のパラメータ記憶部３０５に記憶させるパラメータの生成、書き換え、追加等を行う機器として、管理室親機４及び／又は管理用ＰＣ５を適用したが、この態様に限定されるものではない。例えば、居室親機３ａ、３ｂ、・・・のコネクタ３０７に外部入力装置７を接続し、この外部入力装置７からの出力データをＣＰＵ３０８が受信して、パラメータ記憶部３０５に記憶されたパラメータを容易に変更することができる。
【００３２】
また、管理室親機４のパラメータ変更手段４０３及び／又は管理用ＰＣ５のパラメータ変更手段５００は、居室親機３ａ、３ｂ、・・・に接続可能な集合玄関機１としてその種類や当該居室親機に接続可能な玄関子機２ａ、２ｂ、・・・としてその種類を、居室親機３ａ、３ｂ、・・・を指定してＣＰＵ３０８を制御することができる。例えば、管理室親機４のパラメータ変更手段４０３及び／又は管理用ＰＣ５のパラメータ変更手段５００から伝送されてくる一括指定用の出力データを検出した全ての居室親機３ａ、３ｂ、・・・のＣＰＵ３０８の制御により、集合玄関機１及び玄関子機２ａ、２ｂ、・・・の種類をそれぞれ特定することができるばかりでなく、通話部３０２を構成するマイク３０２ａ及びスピーカ３０２ｂをそれぞれ使用したハンズフリー通話の成立時において必要とされる最適なパラメータをパラメータ記憶部３０５から読み出すことができる。
【００３３】
なお、前述までの説明によれば、集合玄関機１及び玄関子機２ａ、２ｂ、・・・の種類をそれぞれ特定するにあたり、管理室親機４のパラメータ変更手段４０３及び／又は管理用ＰＣ５のパラメータ変更手段５００からの出力データとして、一括指定を行うための出力データを適用したが、この態様に限定されるものではない。例えば、居室親機３ａ、３ｂ、・・・を個別に指定するための出力データを適用することもできる。
【００３４】
次に、集合玄関機１及び玄関子機２ａ、２ｂ、・・・の種類や居室親機３ａ、３ｂ、・・・の設置環境に応じて変化する音響特性を改善するためのボイススイッチ切り替えの音量レベル閾値、トータルゲイン、アイドル時ゲイン、送受話音量の補正値等の複数のパラメータが、前述のようにパラメータ記憶部３０５に予め記憶されている場合において、集合玄関に居る来訪者が特定の住戸内に在室中の居住者を呼び出して通話を成立させる動作（以下、第１の呼出・通話動作という。）と、特定の住戸玄関に居る来訪者が住戸内に在室中の居住者を呼び出して通話を成立させる動作（以下、第２の呼出・通話動作という。）について、それぞれ説明する。
【００３５】
第１の呼出・通話動作として、複数の住戸のうち特定の住戸内に在室中の居住者を呼び出す、ここでは、居室親機３ａが設置された住戸内に在室中の居住者を呼び出すために、集合玄関に居る来訪者が集合玄関機１の操作部１００及び表示部１０１をそれぞれ使用して所定の呼出操作を行うと、呼出元である集合玄関機１を示す送信元アドレス及び呼出先である居室親機３ａを示す居室番号からなる送信先アドレスをそれぞれ付与した呼出信号が生成される。この呼出信号は、集合玄関機１から玄関機側ラインＬ1、制御機６、居室親機側ラインＬ2、全ての居室親機３ａ、３ｂ、・・・の送受信部３０９を構成する制御機側Ｉ／Ｆ３０９ａを順次経由してＣＰＵ３０８にそれぞれ伝送される。
【００３６】
また、集合玄関機１において前述の呼出操作が行われると、カメラ部１０２が駆動して来訪者の映像や集合玄関の周囲近傍の映像（監視映像を含む。）の撮像が開始される。この映像は、呼出元である集合玄関機１を示す送信元アドレス及び呼出先である居室親機３ａを示す居室番号からなる送信先アドレスをそれぞれ付与した電気信号の映像信号に信号処理された後、集合玄関機１から玄関機側ラインＬ1、制御機６、居室親機側ラインＬ2、全ての居室親機３ａ、３ｂ、・・・の送受信部３０９を構成する制御機側Ｉ／Ｆ３０９ａを順次経由して映像処理部３０３にそれぞれ伝送される。なお、集合玄関機１にて生成された映像信号を、全ての居室親機３ａ、３ｂ、・・・の映像処理部３０３にそれぞれ伝送させるにあたっては、通常、呼出信号に映像信号が重畳された信号フォーマットで伝送されるものである。
【００３７】
全ての居室親機３ａ、３ｂ、・・・のＣＰＵ３０８はそれぞれ、受信した呼出信号に付与されている送信元アドレス及び送信先アドレスのうち、送信先アドレスである居室番号と自居室親機に割り当てられている居室番号とを照合し、当該居室番号が一致した場合にのみ集合玄関機１からの呼び出し、すなわち、集合玄関に居る来訪者からの呼び出しがあることを呼出検出して、通話部３０２を構成するスピーカ３０２ｂから呼出音や音声メッセージ等を放音させ呼出報知を行うとともに、表示部３００及び映像処理部３０３をそれぞれ駆動させる。ここでは、居室親機３ａのＣＰＵ３０８のみ居室番号が一致し、前述の呼出報知が行われるとともに、表示部３００及び映像処理部３０３がそれぞれ駆動される。なお、居室親機３ａのＣＰＵ３０８は、集合玄関に居る来訪者からの呼び出しがある旨の文字メッセージや絵データ等を、表示部３００に表示させることもできる。
【００３８】
全ての居室親機３ａ、３ｂ、・・・の映像処理部３０３のうち、前述のＣＰＵ３０８の制御により駆動された居室親機３ａの映像処理部３０３は、集合玄関機１から伝送されてきた映像信号を信号処理して表示部３００に送出することにより、集合玄関機１のカメラ部１０２にて撮像された映像を表示部３００に出画させることができる。なお、呼出先である居室親機３ａを除く他の居室親機３ｂ、・・・の表示部３００及び映像処理部３０３は、それぞれが非能動のまま保持されているため、集合玄関機１のカメラ部１０２にて撮像された映像が表示部３００に出画されることはない。
【００３９】
次に、居室親機３ａの通話部３０２を構成するスピーカ３０２ｂから放音された呼出音や音声メッセージ等及び表示部３００に出画された映像をもとに、集合玄関に居る来訪者からの呼び出しがあることを当該来訪者の識別と併せて確認できた居住者は、来訪者との間でハンズフリー通話を成立させる、又はハンドセット通話を成立させるための応答手段として、操作部３０１を使用して所定の応答操作を行う、又は通話部３０２を構成するハンドセット３０２ｃを取り上げてフックスイッチ３０２ｄをフックオンからフックオフに切り替える。
【００４０】
最初に、ハンズフリー通話を成立させるにあたり、居室親機３ａの操作部３０１を使用して所定の応答操作が行われた場合において、この応答操作を検出したＣＰＵ３０８は、音声処理部３０４が駆動されるように制御するとともに、呼出元である集合玄関機１の種類や自居室親機の設置環境に応じてパラメータ記憶部３０５に予め記憶されている最適なパラメータを読み出し、読み出されたパラメータに応じて送受話の音量レベルの比較を行い、集合玄関機１との間でハンズフリー通話を成立させるようにデジタルボイススイッチ３０６を制御する。
【００４１】
これらの制御によって、居室親機３ａの通話部３０２を構成するマイク３０２ａから音声処理部３０４、デジタルボイススイッチ３０６、送受信部３０９を構成する制御機側Ｉ／Ｆ３０９ａ、居室親機側ラインＬ2、制御機６、玄関機側ラインＬ1を順次経由して集合玄関機１の通話部１０３までの信号伝送路（通話路）と、集合玄関機１の通話部１０３から玄関機側ラインＬ1、制御機６、居室親機側ラインＬ2、居室親機３ａの送受信部３０９を構成する制御機側Ｉ／Ｆ３０９ａ、デジタルボイススイッチ３０６、音声処理部３０４を順次経由して通話部３０２を構成するスピーカ３０２ｂまでの信号伝送路（通話路）とがそれぞれ形成されて音声信号を送受信させるにあたり、集合玄関機１の種類や自居室親機の設置環境に応じた最適な音響特性で送受話の音量レベルの比較を行うことができ、ハンズフリー通話の成立時において良好な通話品質が確保される。
【００４２】
一方、ハンドセット通話を成立させるにあたり、居室親機３ａの通話部３０２を構成するハンドセット３０２ｃを取り上げるような所定の応答操作が行われた場合において、この応答操作についてフックオフされたフックスイッチ３０２ｄの動作を検出したＣＰＵ３０８は、音声処理部３０４が駆動されるように制御するとともに、デジタルボイススイッチ３０６をスルーモードに制御して、送受信される音声信号の音量レベルの比較動作を停止させる。
【００４３】
これらの制御によって、居室親機３ａの通話部３０２を構成するハンドセット３０２ｃのマイクから音声処理部３０４、スルーモード状態のデジタルボイススイッチ３０６、送受信部３０９を構成する制御機側Ｉ／Ｆ３０９ａ、居室親機側ラインＬ2、制御機６、玄関機側ラインＬ1を順次経由して集合玄関機１の通話部１０３までの信号伝送路（通話路）と、集合玄関機１の通話部１０３から玄関機側ラインＬ1、制御機６、居室親機側ラインＬ2、居室親機３ａの送受信３０９を構成する制御機側Ｉ／Ｆ３０９ａ、スルーモード状態のデジタルボイススイッチ３０６、音声処理部３０４を順次経由して通話部３０２を構成するハンドセット３０２ｃのレシーバまでの信号伝送路（通話路）とがそれぞれ形成されて音声信号を送受信させることで、ハンドセット通話が成立する。
【００４４】
次に、第２の呼出・通話動作として、複数の住戸のうち特定の住戸内に在室中の居住者を呼び出す、ここでは、居室親機３ｂが設置された住戸内に在室中の居住者を呼び出すために、この住戸の住戸玄関に居る来訪者が玄関子機２ｂの操作部２００を使用して所定の呼出操作を行うと、呼出信号が生成される。この呼出信号は、玄関子機２ｂから住戸ラインＬ5b、居室親機３ｂの送受信部３０９を構成する住戸玄関側Ｉ／Ｆ３０９ｂを順次経由してＣＰＵ３０８に伝送される。
【００４５】
また、玄関子機２ｂにおいて前述の呼出操作が行われると、カメラ部２０１が駆動して来訪者の映像や住戸玄関の周囲近傍の映像（監視映像を含む。）の撮像が開始される。この映像は、電気信号の映像信号に信号処理された後、玄関子機２ｂから住戸ラインＬ5b、居室親機３ｂの送受信部３０９を構成する住戸玄関側Ｉ／Ｆ３０９ｂを順次経由して映像処理部３０３に伝送される。なお、玄関子機２ｂにて生成された映像信号を、居室親機３ｂの映像処理部３０３に伝送させるにあたっては、通常、呼出信号に映像信号が重畳された信号フォーマットで伝送される。
【００４６】
居室親機３ｂのＣＰＵ３０８は、受信した呼出信号をもとに玄関子機２ｂからの呼び出し、すなわち、自住戸の住戸玄関に居る来訪者からの呼び出しがあることを呼出検出して、通話部３０２を構成するスピーカ３０２ｂから呼出音や音声メッセージ等を放音させて呼出報知を行うとともに、表示部３００及び映像処理部３０３をそれぞれ駆動させる。また、映像処理部３０３は、玄関子機２ｂから伝送されてきた映像信号を信号処理して表示部３００に送出することにより、玄関子機２ｂのカメラ部２０１にて撮像された映像を表示部３００に出画させることができる。なお、居室親機３ｂのＣＰＵ３０８は、自住戸の住戸玄関に居る来訪者からの呼び出しがある旨の文字メッセージや絵データ等を、表示部３００に表示させることもできる。
【００４７】
次に、居室親機３ｂの通話部３０２を構成するスピーカ３０２ｂから放音された呼出音や音声メッセージ等及び表示部３００に出画された映像をもとに、自住戸の住戸玄関に居る来訪者からの呼び出しがあることを当該来訪者の識別と併せて確認できた居住者は、来訪者との間でハンズフリー通話を成立させる、又はハンドセット通話を成立させるための応答手段として、操作部３０１を使用して所定の応答操作を行う、又は通話部３０２を構成するハンドセット３０２ｃを取り上げてフックスイッチ３０２ｄをフックオンからフックオフに切り替える。
【００４８】
最初に、ハンズフリー通話を成立させるにあたり、居室親機３ｂの操作部３０１を使用して所定の応答操作が行われた場合において、この応答操作を検出したＣＰＵ３０８は、音声処理部３０４が駆動されるように制御するとともに、呼出元である玄関子機２ｂの種類や自居室親機の設置環境に応じてパラメータ記憶部３０５に予め記憶されている最適なパラメータを読み出し、読み出されたパラメータに応じて送受話の音量レベルの比較を行い、玄関子機２ｂとの間でハンズフリー通話を成立させるようにデジタルボイススイッチ３０６を制御する。
【００４９】
これらの制御によって、居室親機３ｂの通話部３０２を構成するマイク３０２ａから音声処理部３０４、デジタルボイススイッチ３０６、送受信部３０９を構成する住戸玄関側Ｉ／Ｆ３０９ｂ、住戸ラインＬ5bを順次経由して玄関子機２ｂの通話部２０２までの信号伝送路（通話路）と、玄関子機２ｂの通話部２０２から住戸ラインＬ2b、居室親機３ｂの送受信部３０９を構成する住戸玄関側Ｉ／Ｆ３０９ｂ、デジタルボイススイッチ３０６、音声処理部３０４を順次経由して通話部３０２を構成するスピーカ３０２ｂまでの信号伝送路（通話路）とがそれぞれ形成されて音声信号を送受信させるにあたり、玄関子機２ｂの種類や自居室親機の設置環境に応じた最適な音響特性で送受話の音量レベルの比較を行うことができ、ハンズフリー通話の成立時において良好な通話品質が確保される。
【００５０】
一方、ハンドセット通話を成立させるにあたり、居室親機３ｂの通話部３０２を構成するハンドセット３０２ｃを取り上げるような所定の応答操作が行われた場合において、この応答操作についてフックオフされたフックスイッチ３０２ｄの動作を検出したＣＰＵ３０８は、音声処理部３０４が駆動されるように制御するとともに、デジタルボイススイッチ３０６をスルーモードに制御して、送受信される音声信号の音量レベルの比較動作を停止させる。
【００５１】
これらの制御によって、居室親機３ｂの通話部３０２を構成するハンドセット３０２ｃのマイクから音声処理部３０４、スルーモード状態のデジタルボイススイッチ３０６、送受信部３０９を構成する住戸玄関側Ｉ／Ｆ３０９ｂ、住戸ラインＬ5bを順次経由して玄関子機２ｂの通話部２０２までの信号伝送路（通話路）と、玄関子機２ｂの通話部２０２から住戸ラインＬ5b、居室親機３ｂの送受信３０９を構成する住戸玄関側Ｉ／Ｆ３０９ｂ、スルーモード状態のデジタルボイススイッチ３０６、音声処理部３０４を順次経由して通話部３０２を構成するハンドセット３０２ｃのレシーバまでの信号伝送路（通話路）とがそれぞれ形成されて音声信号を送受信させることで、ハンドセット通話が成立する。
【００５２】
なお、本発明の実施例によれば、居室親機３ａ、３ｂ、・・・との間でハンズフリー通話又はハンドセット通話を成立させる通話相手先の機器として、集合玄関機１又は玄関子機２ａ、２ｂ、・・・を適用したが、この態様に限定されるものではない。例えば、集合玄関機１及び玄関子機２ａ、２ｂ、・・・の種類のみならず、管理室親機４の種類や居室親機３ａ、３ｂ、・・・の設置環境に応じて変化する音響特性を改善するための前述の複数のパラメータを、管理室親機４、管理用ＰＣ５及び外部入力装置７のうち何れかの機器を使用して当該居室親機のパラメータ記憶部３０５に記憶させる、或いは、そのパラメータの内容を変更、書き換え、追加等することにより、居室親機３ａ、３ｂ、・・・との間でハンズフリー通話又はハンドセット通話を成立させる通話相手先の機器として、管理室親機４を適用することもできる。
【００５３】
また、本発明の実施例によれば、その設置場所としてマンション等の集合住宅を適用した態様であったが、この態様に限定されるものではない。例えば、複数の住戸毎に設けられる玄関子機２ａ、２ｂ、・・・及び居室親機３ａ、３ｂ、・・・を戸建住宅にそれぞれ設置するような態様のインターホンシステムも好適とされる。
【００５４】
この態様によれば、住戸ラインＬ5a、Ｌ5b、・・・をそれぞれ経由して接続された玄関子機２ａ、２ｂ、・・・との間で、居室親機３ａ、３ｂ、・・・がハンズフリー通話を成立させるにあたって、ＣＰＵ３０８の制御によりパラメータ記憶部３０５から読み出される最適なパラメータをもとにデジタルボイススイッチ３０６を制御し、玄関子機２ａ、２ｂ、・・・の種類や自居室親機の設置環境に応じた最適な音響特性で送受話の音量レベルの比較を行うことができ、良好な通話品質が確保される。一方、ハンズフリー通話を成立させるにあたっては、ＣＰＵ３０８の制御によりデジタルボイススイッチ３０６がスルーモードに制御されて送受話の音量レベルの比較動作を停止することができる。また、居室親機３ａ、３ｂ、・・・のパラメータ記憶部３０５に記憶されるパラメータは、前述の実施例と同様、コネクタ３０７に接続された外部入力装置７からの出力データを受信したＣＰＵ３０８の制御により容易に変更することができる。
【００５５】
さらに、本発明のインターホンシステムにおいては、特定の実施の形態をもって説明してきたが、この形態に限定されるものでなく、本発明の効果を奏する限り、これまで知られた如何なる構成のインターホンシステムであっても採用できるということはいうまでもないことである。
【図面の簡単な説明】
【００５６】
【図１】本発明の実施例によるインターホンシステムの全体構成を示すシステム説明図。
【図２】本発明の実施例によるインターホンシステムにおいて、居室親機の具体的な構成を示すブロック図。
【符号の説明】
【００５７】
１……集合玄関機
２ａ、２ｂ、・・・ ……玄関子機
３ａ、３ｂ、・・・ ……居室親機
３０２ｃ……ハンドセット
３０２ｄ……フックスイッチ
３０５……パラメータ記憶部
３０６……デジタルボイススイッチ
３０７……コネクタ
３０８……ＣＰＵ
４……管理室親機
４０３……パラメータ変更手段
５……管理用ＰＣ（管理用パーソナルコンピュータ）
５００……パラメータ変更手段
６……制御機
７……外部入力装置
【図１】
2008035049.tif 000003
【図２】
2008035049.tif 000004